(57)【要約】  【課題】  カメラ本体から延びる電源ケーブルの方向を容易に変更することができ、様々な設置状況に対応することのできるカメラ装置を提供する。  【解決手段】  カメラ装置１は、電源ケーブル２とカメラ本体３とを備えている。電源ケーブル２は、ケーブル部分４が延びる方向（ケーブル方向）に沿って設けられたケーブル接続部５と、ケーブル接続部５に対して斜めに屈曲して設けられた屈曲差込み部６とを備えている。カメラ本体３は、カメラ本体３の後方かつ斜め上方を向くように傾斜して設けられた傾斜差込み口１３を備えている。カメラ本体３の傾斜差込み口１３に、電源ケーブル２の屈曲差込み部６が差し込まれる。【選択図】  図１
2012065072.tif 000002
【特許請求の範囲】
【請求項１】
電源ケーブルとカメラ本体とを備えたカメラ装置であって、
前記電源ケーブルは、前記電源ケーブルのケーブル部分が延びるケーブル方向に沿って設けられたケーブル接続部と、前記ケーブル接続部に対して斜めに屈曲して設けられた屈曲差込み部とを備え、
前記カメラ本体は、前記屈曲差込み部が差し込まれる差込み口であって、前記カメラ本体の後方かつ斜め上方を向くように傾斜して設けられた傾斜差込み口を備えたことを特徴とするカメラ装置。
【請求項２】
前記屈曲差込み部は、前記ケーブル接続部に対して４５度の角度で屈曲しており、
前記傾斜差込み口は、前記カメラ本体の後方に対して４５度の角度で斜め上方を向くように傾斜していることを特徴とする請求項１に記載のカメラ装置。
【請求項３】
前記電源ケーブルは、２極のＡＣ電源ケーブルであることを特徴とする請求項１または請求項２に記載のカメラ装置。
【請求項４】
前記屈曲差込み部の全周に防塵つばを設けたことを特徴とする請求項１ないし請求項３のいずれかに記載のカメラ装置。
【請求項５】
前記傾斜差込み口の上側を覆うカバーをさらに備え、
前記カバーには、前記カメラ本体から上方に向けて延びる前記電源ケーブルを挿通するケーブル挿通孔が設けられていることを特徴とする請求項１ないし請求項４のいずれかに記載のカメラ装置。
【請求項６】
前記カメラ本体を収納する筒状のケーシングをさらに備え、
前記ケーシングには、前記カメラ本体から後方に向けて延びる前記電源ケーブルを挿通するケーブル挿通孔が設けられていることを特徴とする請求項１ないし請求項３のいずれかに記載のカメラ装置。
【発明の詳細な説明】
【技術分野】
【０００１】
本発明は、様々な設置状況に対応できるカメラ装置に関するものである。
【背景技術】
【０００２】
従来、カメラ装置は、監視エリアを監視するため等に利用されている。このようなカメラ装置は、監視エリアの監視画像を適切に撮影できるように、監視エリアの壁や天井などの様々な場所に設置される。つまり、カメラ装置の設置状況には、様々な状況がある。
【０００３】
例えば、カメラ装置は、筒状のハウジング（ケーシング）に入れられて設置されることがある（特許文献１参照）。このようなハウジング内に設置される場合には、カメラ装置の電源ケーブルは、カメラ装置の後方に延ばされる。一般に、カメラ装置の電源ケーブルは、カメラ装置の後面に設けられているが、そのような従来のカメラ装置でも、筒状のハウジング内であれば、カメラ装置から後方へ電源ケーブルを延ばした状態で設置することができる。
【０００４】
また、カメラ装置は、取り付けアームを用いて壁や天井に設置されることもある（特許文献２参照）。このように壁や天井に設置される場合であっても、カメラ装置の後面と壁面との間に空間的な余裕があれば、従来のカメラ装置でも、カメラ装置から後方へ電源ケーブルを延ばした状態で設置することができる。
【先行技術文献】
【特許文献】
【０００５】
【特許文献１】実公昭６１−３９３９５号公報
【特許文献２】特開２００１−２６４８６７号公報
【発明の概要】
【発明が解決しようとする課題】
【０００６】
しかしながら、従来のカメラ装置では、カメラ装置が壁や天井に設置される場合であって、カメラ装置の後面が壁面ぎりぎりの位置に設置され、カメラ装置の後面と壁面との間に空間的な余裕がないような場合には、カメラ装置を設置することが困難である。つまり、カメラ装置を設置することができないか、カメラ装置を設置できたとしても、電源ケーブルを無理に屈曲させなければならない（電源ケーブルに負荷がかかった状態になる）という問題があった。
【０００７】
そのような場合、カメラ装置から上方に向けて電源ケーブルを延ばすことができれば、カメラ装置の後面を壁面ぎりぎりの位置に設置することができる。ところが、電源ケーブルをカメラ装置から上方に延ばすと、ハウジング内などの狭い空間（カメラ装置の上方のスペースが限られた空間）に設置することが困難になるという問題があった。
【０００８】
本発明は、上記従来の問題を解決するためになされたもので、カメラ装置の設置状況に応じて、カメラ本体から延びる電源ケーブルの方向を、カメラ本体の上方または後方のいずれにも容易に変更することのできるカメラ装置を提供することを目的とする。
【課題を解決するための手段】
【０００９】
本発明のカメラ装置は、電源ケーブルとカメラ本体とを備えたカメラ装置であって、前記電源ケーブルは、前記電源ケーブルのケーブル部分が延びるケーブル方向に沿って設けられたケーブル接続部と、前記ケーブル接続部に対して斜めに屈曲して設けられた屈曲差込み部とを備え、前記カメラ本体は、前記屈曲差込み部が差し込まれる差込み口であって、前記カメラ本体の後方かつ斜め上方を向くように傾斜して設けられた傾斜差込み口を備えた構成を有している。
【００１０】
この構成により、例えば、電源ケーブルのケーブル方向がカメラ本体の上下方向である場合であっても、電源ケーブルの軸方向を中心に電源ケーブルを回転させることにより、ケーブル方向を変えずに屈曲差込み部の向きをカメラ本体の前方かつ斜め下方、すなわち、傾斜差込み口の向き（カメラ本体の後方かつ斜め上方）に対応する向きにあわせることができる。また、電源ケーブルのケーブル方向がカメラ本体の前後方向である場合であっても、電源ケーブルの軸方向を中心に電源ケーブルを回転させることにより、ケーブル方向を変えずに屈曲差込み部の向きをカメラ本体の前方かつ斜め下方、すなわち、傾斜差込み口の向き（カメラ本体の後方かつ斜め上方）に対応する向きにあわせることができる。したがって、電源ケーブルをカメラ本体の上方へ延ばさなければならない設置状況（例えば、カメラ本体の後面が壁面ぎりぎりの位置に設置され、カメラ本体の後方のスペースが限られている場合）にも、電源ケーブルをカメラ本体の後方へ延ばさなければならない設置状況（例えば、カメラ本体が筒状のケーシングに入れられ、カメラ本体の上方のスペースが限られている場合）にも、対応することが可能である。すなわち、カメラ装置の設置状況に応じて、カメラ本体から延びる電源ケーブルの方向を、カメラ本体の上方または後方のいずれにも容易に変更することができる。
【００１１】
また、本発明のカメラ装置では、前記屈曲差込み部は、前記ケーブル接続部に対して４５度の角度で屈曲しており、前記傾斜差込み口は、前記カメラ本体の後方に対して４５度の角度で斜め上方を向くように傾斜した構成を有している。
【００１２】
この構成により、電源ケーブルのケーブル方向がカメラ本体の上下方向である場合にも、屈曲差込み部の向きをカメラ本体の前方に対して４５度斜め下方、すなわち、傾斜差込み口の向き（カメラ本体の後方に対して４５度斜め上方）に対応する向きに適切にあわせることができる。また、電源ケーブルのケーブル方向がカメラ本体の前後方向である場合にも、屈曲差込み部の向きをカメラ本体の前方に対して４５度斜め下方、すなわち、傾斜差込み口の向き（カメラ本体の後方に対して４５度斜め上方）に対応する向きに適切にあわせることができる。ケーブル方向を上下方向から前後方向に変更する場合には、電源ケーブルの軸方向を中心に電源ケーブルを１８０度回転させればよい。
【００１３】
また、本発明のカメラ装置では、前記電源ケーブルは、２極のＡＣ電源ケーブルである構成を有している。
【００１４】
この構成により、電源ケーブルが２極のＡＣ電源ケーブルであれば、ケーブル方向が上下方向のときに電源ケーブルが傾斜差込み口に差込み可能であるときには、ケーブル方向を上下方向から前後方向に変更したとき（電源ケーブルの軸方向を中心に電源ケーブルを１８０度回転させたとき）にも、電源ケーブルは傾斜差込み口に差込み可能である。したがって、カメラ装置の設置状況に応じて、カメラ本体から延びる電源ケーブルの方向を、カメラ本体の上方または後方のいずれにも容易に変更することができる。
【００１５】
また、本発明のカメラ装置は、前記屈曲差込み部の全周に防塵つばを設けた構成を有している。
【００１６】
この構成により、防塵つばによって傾斜差込み口が保護され、埃や水滴などが傾斜差込み口に入るのを防ぐことができる。
【００１７】
また、本発明のカメラ装置は、前記傾斜差込み口の上側を覆うカバーをさらに備え、前記カバーには、前記カメラ本体から上方に向けて延びる前記電源ケーブルを挿通するケーブル挿通孔が設けられた構成を有している。
【００１８】
この構成により、例えば、カメラ本体の後面が壁面ぎりぎりの位置に設置され、カメラ本体の後方のスペースが限られている状況であっても、電源ケーブルをカメラ本体の上方へ延ばすことができるので、対応が可能である。この場合、カバーによって傾斜差込み口が保護されるので、埃に起因する故障の発生を防ぐことができる。
【００１９】
また、本発明のカメラ装置は、前記カメラ本体を収納する筒状のケーシングをさらに備え、前記ケーシングには、前記カメラ本体から後方に向けて延びる前記電源ケーブルを挿通するケーブル挿通孔が設けられた構成を有している。
【００２０】
この構成により、ケーシングによってカメラ本体を保護することができる。なお、この場合、カメラ本体の上方のスペースが限られた状況であっても、電源ケーブルをカメラ本体の後方へ延ばすことができるので、対応が可能である。
【発明の効果】
【００２１】
本発明は、カメラ本体から延びる電源ケーブルの方向を容易に変更することができ、様々な設置状況に対応できるという効果を有するカメラ装置を提供することができるものである。
【図面の簡単な説明】
【００２２】
【図１】本発明の実施の形態におけるカメラ装置の構成を示す説明図
【図２】本発明の実施の形態におけるカメラ装置の斜視図
【図３】カメラ装置が壁面ぎりぎりに設置される設置状況の説明図
【図４】カメラ装置がケーシング内に設置される設置状況の説明図
【図５】防塵つばが設けられた屈曲差込み部の説明図
【発明を実施するための形態】
【００２３】
以下、本発明の実施の形態のカメラ装置について、図面を用いて説明する。本実施の形態では、監視カメラ等に用いられるカメラ装置の場合を例示する。
【００２４】
本発明の実施の形態のカメラ装置の構成を、図面を参照して説明する。図１は、本実施の形態のカメラ装置の構成を示す説明図であり、図２は、本実施の形態のカメラ装置の斜視図である。図１および図２に示すように、カメラ装置１は、電源ケーブル２とカメラ本体３で構成されている。電源ケーブル２は、２極のＡＣ電源ケーブルである。
【００２５】
電源ケーブル２は、屈曲性を有するケーブル部分４と、ケーブル部分４の先端部に設けられたケーブル接続部５および屈曲差込み部６で構成されている。ケーブル接続部５は、ケーブル部分４が延びる方向（ケーブル方向）に沿って設けられている。屈曲差込み部６は、ケーブル接続部５に対して斜めに屈曲して設けられている。この場合、屈曲差込み部６は、ケーブル接続部５に対して４５度の角度で屈曲している。このケーブル接続部５と屈曲差込み部６は、樹脂成形などで一体に作られている。
【００２６】
カメラ本体３は、略直方体の形状を有するボックス型の筐体７を備えている。この筐体７の前面（図１の左面）には、カメラレンズ８が取り付けられている。ここでは、カメラレンズ８が取り付けられている面を「前面」と呼ぶ。したがって、カメラ本体３の前後方向（図１の左右方向）は、カメラレンズ８の光軸方向と一致する。
【００２７】
筐体７は、上ケース９と下ケース１０に分割可能である。上ケース９の中央部には、カメラ本体３を固定するためのボルト孔１１が設けられている。上ケース９の後部には、段部１２が設けられており、段部１２の角部には、傾斜差込み口１３が設けられている。傾斜差込み口１３は、カメラ本体３の後方かつ斜め上方を向くように傾斜して設けられている。この場合、傾斜差込み口１３は、カメラ本体３の後方に対して４５度の角度で斜め上方を向くように傾斜している。この傾斜差込み口１３に、電源ケーブル２の屈曲差込み部６が差し込まれる。
【００２８】
また、このカメラ装置１は、傾斜差込み口１３の上側を覆うカバー１４を備えてもよい（図２および図３参照）。カバー１４の上面には、カメラ本体３の傾斜差込み口１３に接続された電源ケーブル２を挿通するためのケーブル挿通孔１５が設けられている。また、このカメラ装置１は、カメラ本体３を保持する保持アーム１６を備えてもよい。保持アーム１６の先端にはボルト部（図示せず）が設けられている。この保持アーム１６のボルト部を上ケース９のボルト孔１１にねじ止めすることによって、保持アーム１６がカメラ本体３に固定される。カバー１４や保持アーム１６は、カメラ装置１が天井に設置されるときに用いられる。
【００２９】
また、このカメラ装置１は、カメラ本体３を収納する筒状のケーシング１７を備えてもよい（図４参照）。ケーシング１７の前面には、カメラ視野を確保するための窓部１８が設けられており、ケーシング１７の後面には、カメラ本体３の傾斜差込み口１３に接続された電源ケーブル２を挿通するためのケーブル挿通孔１９が設けられている。また、ケーシング１７には、カメラ装置１を固定するための固定ボルト２０が設けられていてもよい。上ケース９のボルト孔１１に固定ボルト２０をねじ止めすることにより、カメラ本体３がケーシング１７の内部に固定される。このケーシング１７は、カメラ装置１を屋外に設置するときなどに用いられる。
【００３０】
つぎに、本実施の形態のカメラ装置１の設置状況について、図面を参照して説明する。
【００３１】
図３は、本実施の形態のカメラ装置１を天井に設置した状況を示す図である。図３に示すように、この設置状況では、カメラ本体３の後面が壁面ぎりぎりに設置されている。この場合、電源ケーブル２を上下方向に延ばした状態で回転させて、屈曲差込み部６の向きを傾斜差込み口１３の向きにあわせる。つまり、電源ケーブル２の軸方向を中心として電源ケーブル２を回転させて、屈曲差込み部６の向きをカメラ本体３の前方に対して４５度斜め下方（図３において４５度左下向き）に向ける。そして、屈曲差込み部６を傾斜差込み口１３に差し込む。この場合、電源ケーブル２は、上下方向に延びた状態のままで無理なくカメラ本体３に接続される。その後、カメラ本体３にカバー１４を取り付ける。そして、カメラ本体３に保持アーム１６を固定し、その保持アーム１６を天井に固定する。このようにして、カメラ装置１が天井に設置される。
【００３２】
図４は、本実施の形態のカメラ装置１をケーシング１７の内部に設置した状況を示す図である。図４に示すように、この設置状況では、カメラ本体３の上方のスペースが限られている。この場合、電源ケーブル２を前後方向に延ばした状態で回転させて、屈曲差込み部６の向きを傾斜差込み口１３の向きにあわせる。つまり、電源ケーブル２の軸方向を中心として電源ケーブル２を回転させて、屈曲差込み部６の向きをカメラ本体３の前方に対して４５度斜め下方（図４において４５度左下向き）に向ける。そして、屈曲差込み部６を傾斜差込み口１３に差し込む。この場合、電源ケーブル２は、前後方向に延びた状態のままで無理なくカメラ本体３に接続される。その後、固定ボルト２０でカメラ本体３をケーシング１７内部に固定する。このようにして、カメラ装置１がケーシング１７の内部に設置される。
【００３３】
なお、屈曲差込み部６には、図５に示すように防塵つば２１が設けられてもよい。防塵つば２１は、屈曲差込み部６の全周に一体成形によって設けられる。図５に示すように、屈曲差込み部６が傾斜差込み口１３に差し込まれた状態では、防塵つば２１によって傾斜差込み口１３が覆われ、埃や水滴などが傾斜差込み口１３から入り込まないようにされている。
【００３４】
このような本発明の実施の形態のカメラ装置１によれば、カメラ本体３から延びる電源ケーブル２の方向を容易に変更することができ、様々な設置状況に対応できる。
【００３５】
すなわち、本実施の形態では、図３に示すように、電源ケーブル２のケーブル方向がカメラ本体３の上下方向である場合には、電源ケーブル２の軸方向を中心に電源ケーブル２を回転させることにより、ケーブル方向を変えずに屈曲差込み部６の向きをカメラ本体３の前方かつ斜め下方、すなわち、傾斜差込み口１３の向き（カメラ本体３の後方かつ斜め上方）に対応する向きにあわせることができる。つまり、本実施の形態のカメラ装置１によれば、図３のように、カメラ本体３の後面が壁面ぎりぎりの位置に設置され、カメラ本体３の後方のスペースが限られている状況であっても、電源ケーブル２をカメラ本体３の上方へ延ばすことができるので、対応が可能である。また、この場合、カバー１４によって傾斜差込み口１３が保護されるので、埃に起因する故障の発生を防ぐことができる。さらに、屈曲差込み部６の全周に防塵つば２１が設けられていれば、防塵つば２１によって傾斜差込み口１３が保護され、埃や水滴などが傾斜差込み口１３に入るのを防ぐことができる。したがって、埃に起因する故障の発生を防ぐ機能がより高くなる。
【００３６】
また、図４に示すように、電源ケーブル２のケーブル方向がカメラ本体３の前後方向である場合には、電源ケーブル２の軸方向を中心に電源ケーブル２を回転させることにより、ケーブル方向を変えずに屈曲差込み部６の向きをカメラ本体３の前方かつ斜め下方、すなわち、傾斜差込み口１３の向き（カメラ本体３の後方かつ斜め上方）に対応する向きにあわせることができる。つまり、本実施の形態のカメラ装置１によれば、図４のように、カメラ本体３の上方のスペースが限られた状況であっても、電源ケーブル２をカメラ本体３の後方へ延ばすことができるので、対応が可能である。また、この場合、ケーシング１７によってカメラ本体３を保護することができる。
【００３７】
このように、電源ケーブル２をカメラ本体３の上方へ延ばさなければならない設置状況（例えば、図３のように、カメラ本体３の後面が壁面ぎりぎりの位置に設置され、カメラ本体３の後方のスペースが限られている場合）にも、電源ケーブル２をカメラ本体３の後方へ延ばさなければならない設置状況（例えば、図４のように、カメラ本体３が筒状のケーシング１７に入れられ、カメラ本体３の上方のスペースが限られている場合）にも、対応することが可能である。すなわち、カメラ装置１の設置状況に応じて、カメラ本体３から延びる電源ケーブル２の方向を、カメラ本体３の上方または後方のいずれにも容易に変更することができる。
【００３８】
また、本実施の形態では、屈曲差込み部６が４５度の角度で屈曲しており、傾斜差込み口１３が４５度の角度で斜め上方を向いている。したがって、屈曲差込み部６の向きをカメラ本体３の前方に対して４５度斜め下方、すなわち、傾斜差込み口１３の向き（カメラ本体３の後方に対して４５度斜め上方）に対応する向きに適切にあわせることができる。また、屈曲差込み部６の向きをカメラ本体３の前方に対して４５度斜め下方、すなわち、傾斜差込み口１３の向き（カメラ本体３の後方に対して４５度斜め上方）に対応する向きに適切にあわせることができる。ケーブル方向を上下方向から前後方向に変更する場合には、電源ケーブル２の軸方向を中心に電源ケーブル２を１８０度回転させればよい。
【００３９】
また、本実施の形態では、電源ケーブル２が２極のＡＣ電源ケーブルである。したがって、ケーブル方向が上下方向のときに電源ケーブル２が傾斜差込み口１３に差込み可能であれば、ケーブル方向を上下方向から前後方向に変更したとき（電源ケーブル２の軸方向を中心に電源ケーブル２を１８０度回転させたとき）にも、電源ケーブル２は傾斜差込み口１３に差込み可能である。したがって、カメラ装置１の設置状況に応じて、カメラ本体３から延びる電源ケーブル２の方向を、カメラ本体３の上方または後方のいずれにも容易に変更することができる。
【００４０】
以上、本発明の実施の形態を例示により説明したが、本発明の範囲はこれらに限定されるものではなく、請求項に記載された範囲内において目的に応じて変更・変形することが可能である。
【産業上の利用可能性】
【００４１】
以上のように、本発明にかかるカメラ装置は、カメラ本体から延びる電源ケーブルの方向を容易に変更することができ、様々な設置状況に対応できるという効果を有し、監視カメラ等として有用である。
【符号の説明】
【００４２】
１  カメラ装置
２  電源ケーブル
３  カメラ本体
４  ケーブル部分
５  ケーブル接続部
６  屈曲差込み部
７  筐体
８  カメラレンズ
９  上ケース
１０  下ケース
１１  ボルト孔
１２  段部
１３  傾斜差込み口
１４  カバー
１５  ケーブル挿通孔
１６  保持アーム
１７  ケーシング
１８  窓部
１９  ケーブル挿通孔
２０  固定ボルト
２１  防塵つば
【図１】
2012065072.tif 000003
【図２】
2012065072.tif 000004
【図３】
2012065072.tif 000005
【図４】
2012065072.tif 000006
【図５】
2012065072.tif 000007